(57)【要約】      （修正有）【課題】傘布が上へ裏返ることによる傘損傷を効果的に防止する傘の裏返し装置を提供する。【解決手段】親骨１と受け骨２を含み、親骨１と受け骨２との間に裏返し接続部材が設けられ、裏返し接続部材は、一体成形され且つ互いにヒンジ連結された筒スライダ３１と接続アーム３２を含み、筒スライダ３１が、親骨１と滑合し、接続アーム３２が、受け骨２とヒンジ連結される。親骨１と滑合する筒スライダ３１は、傘布が上へ裏返る際に親骨１に沿ってスライドすることができ、親骨１の曲がることを回避する。【選択図】図２
0003204668.tif 000002
【実用新案登録請求の範囲】
【請求項１】
傘の裏返し装置であって、親骨（１）及び受け骨（２）を含み、
前記親骨（１）と受け骨（２）との間に裏返し接続部材が設けられ、前記裏返し接続部材は、一体成形され且つ互いにヒンジ連結された筒スライダ（３１）と接続アーム（３２）を含み、前記筒スライダ（３１）が、前記親骨（１）と滑合し、前記接続アーム（３２）が、前記受け骨（２）とヒンジ連結されることを特徴とする傘の裏返し装置。
【請求項２】
前記接続アーム（３２）の両側壁に、それぞれ第１位置決めボス（３２１）と第２位置決めボス（３２２）が上向きに突設され、前記第１位置決めボス（３２１）と第２位置決めボス（３２２）が交差するように設けられ、前記第１位置決めボス（３２１）と第２位置決めボス（３２２）の間隔が親骨（１）の直径よりやや大きいことを特徴とする請求項１に記載の傘の裏返し装置。
【請求項３】
筒スライダ（３１）の外側壁の中部に、三角形のくさび（３１１）が下向きに延設され、前記三角形のくさび（３１１）のエッジの１つが、前記筒スライダ（３１）の真下に位置することを特徴とする請求項１に記載の傘の裏返し装置。
【請求項４】
前記接続アーム（３２）の前端が、上へ曲がり且つ前記筒スライダ（３１）の底部に設けられる三角形のくさび（３１１）のエッジの１つとヒンジ連結されることを特徴とする請求項３に記載の傘の裏返し装置。
【請求項５】
前記接続アーム（３２）の末端が、下へ曲がり且つ前記受け骨（２）の末端とヒンジ連結されることを特徴とする請求項４に記載の傘の裏返し装置。
【請求項６】
前記接続アーム（３２）の前端の短手方向サイズは前記接続アーム（３２）の末端の短手方向サイズより小さいことを特徴とする請求項５に記載の傘の裏返し装置。
【請求項７】
前記第１位置決めボス（３２１）と第２位置決めボス（３２２）は、それぞれ前記接続アーム（３２）の末端に近接することを特徴とする請求項２に記載の傘の裏返し装置。
【請求項８】
前記接続アーム（３２）の末端に、径方向にリベット穴が設けられ、前記リベット穴と前記受け骨（２）の末端に設けられている丸穴とが、お互いに貫通されることを特徴とする請求項１に記載の傘の裏返し装置。
【考案の詳細な説明】
【技術分野】
【０００１】
本考案は、傘の技術分野に関し、特に傘の裏返し装置に関する。
【背景技術】
【０００２】
従来の傘は、強風下で使用される場合、傘の傘布全体が上へ裏返しになることが多く、このとき、受け骨と親骨の接続箇所の位置が相対的に固定されているため、傘布が強風に吹かれて、これにより親骨が上へ裏返り、親骨が受け骨との接続箇所において折れ、傘損傷を引き起こす。
【考案の概要】
【０００３】
本考案は、傘布が上へ裏返ることによる傘損傷を効果的に防止できる傘の裏返し装置を提供することを目的とする。
この目的を達成するために、本考案は、以下の技術案を採用する。
【０００４】
傘の裏返し装置であって、親骨及び受け骨を含み、前記親骨と受け骨との間に裏返し接続部材が設けられ、前記裏返し接続部材は一体成形され且つ互いにヒンジ連結された筒スライダと接続アームを含み、前記筒スライダが、前記親骨と滑合し、前記接続アームが、前記受け骨とヒンジ連結される。
【０００５】
本考案において、前記接続アームの両側壁に、それぞれ第１位置決めボスと第２位置決めボスが上向きに突設され、前記第１位置決めボスと第２位置決めボスが交差するように設けられ、前記第１位置決めボスと第２位置決めボスの間隔が親骨の直径よりやや大きい。
【０００６】
本考案において、筒スライダの外側壁の中部に、三角形のくさびが下向きに延設され、前記三角形のくさびのエッジの１つが、前記筒スライダの真下に位置する。
【０００７】
本考案において、前記接続アームの前端が、上へ曲がり且つ前記筒スライダの底部に設けられる三角形のくさびのエッジの１つとヒンジ連結される。
【０００８】
本考案において、前記接続アームの末端が、下へ曲がり且つ前記受け骨の末端とヒンジ連結される。
【０００９】
本考案において、前記接続アームの前端の短手方向サイズは前記接続アームの末端の短手方向サイズより小さい。
【００１０】
本考案において、前記第１位置決めボスと第２位置決めボスは、それぞれ前記接続アームの末端に近接する。
【００１１】
本考案において、前記接続アームの末端に、径方向にリベット穴が設けられ、前記リベット穴と前記受け骨の末端に設けられている丸穴とが、お互いに貫通される。
【００１２】
本考案は、以下の有利な効果を有する。本考案は、親骨と受け骨を含み、前記親骨と受け骨との間に裏返し接続部材が設けられ、前記裏返し接続部材は一体成形され且つ互いにヒンジ連結された筒スライダと接続アームを含み、前記筒スライダが、前記親骨と滑合し、前記接続アームが、前記受け骨とヒンジ連結される。親骨と滑合する筒スライダは、傘布が上へ裏返る際に親骨に沿ってスライドすることができ、親骨の曲がることを回避する。本考案は、傘布が上へ裏返ることによる傘損傷を効果的に防止することができる。
【図面の簡単な説明】
【００１３】
【図１】本考案に係る傘が展開した場合の正面図である。
【図２】図１におけるＡの部分拡大図である。
【図３】本考案に係る傘の傘布が上へ裏返る際の正面図である。
【図４】図３におけるＢの部分拡大図である。
【考案を実施するための形態】
【００１４】
次は、図面を参照しながら本考案を実施するための形態によって更に本考案の技術案を説明する。
【００１５】
図１ないし図２に示すように、傘の裏返し装置であって、親骨１及び受け骨２を含み、前記親骨１と受け骨２との間に裏返し接続部材が設けられ、前記裏返し接続部材は一体成形され且つ互いにヒンジ連結された筒スライダ３１と接続アーム３２を含み、前記筒スライダ３１が、前記親骨１と滑合し、前記接続アーム３２が、前記受け骨２とヒンジ連結される。
【００１６】
好ましくは、図２に示すように、前記接続アーム３２の両側壁に、それぞれ第１位置決めボス３２１と第２位置決めボス３２２が上向きに突設され、前記第１位置決めボス３２１と第２位置決めボス３２２が交差するようにに設けられ、前記第１位置決めボス３２１と第２位置決めボス３２２の間隔が親骨１の直径よりやや大きく、前記第１位置決めボス３２１と第２位置決めボス３２２はそれぞれ前記接続アーム３２の末端に近接する。この構成により、親骨の位置決めが便利であるとともに、親骨と受け骨との間のひねりを防止することができる。
【００１７】
好ましくは、筒スライダ３１の外側壁の中部に、三角形のくさび３１１が下向きに延設され、前記三角形のくさび３１１のエッジの１つが、前記筒スライダ３１の真下に位置し、前記接続アーム３２の前端が、上へ曲がり且つ前記筒スライダ３１の底部に設けられる三角形のくさび３１１のエッジの１つとヒンジ連結され、前記接続アーム３２の末端が、下へ曲がり且つ前記受け骨２の末端とヒンジ連結され、前記接続アーム３２の前端の短手方向サイズは前記接続アーム３２の末端の短手方向サイズより小さく、前記接続アーム３２の末端に、径方向にリベット穴が設けられ、前記リベット穴と前記受け骨２の末端に設けられる丸穴とが、お互いに貫通される。
【００１８】
上記の構成では、ナイロン、ＰＣなどのプラスチックで一体成形することができ、製品の構造を保証するとともに、これによってヒンジを形成し、組み立て工程を簡単にし、組み立て効率を向上することができる。
【００１９】
好ましくは、傘布が強風に吹かれて上へ裏返る際に、図３と図４に示すように、筒スライダ３１は親骨１の中棒と繋がる端部へスライドするとともに、接続アーム３２の両端のヒンジ構造によって受け骨を引いて上へ動かせる。これにより、傘布を上へ裏返る力を効果的に分散させ、親骨の折れることを防止し、傘に対する強風の衝撃力を低減することができる。
【００２０】
以上、実施例を結合して本考案の技術原理について説明した。これらの説明は、あくまでも本考案を理解するためのものであり、何らかの方式で本考案の保護範囲に対して制限するものではない。ここの解釈に基づいて、当業者は創造性を発揮しなくても本考案の他の実施形態を想到でき、これら他の実施形態も本考案の保護範囲内に属する。
【符号の説明】
【００２１】
１  親骨
２  受け骨
３１  筒スライダ
３１１  三角形のくさび
３２  接続アーム
３２１  第１位置決めボス
３２２  第２位置決めボス
【図１】
0003204668.tif 000003
【図２】
0003204668.tif 000004
【図３】
0003204668.tif 000005
【図４】
0003204668.tif 000006